(57)【特許請求の範囲】
【請求項１】
弁棒を回転させるためのハンドルと、
前記ハンドル内部に収容される開度表示機構とを備える開度表示機能つき開閉弁であって、
前記ハンドルが、
原動側内歯車と、
前記弁棒を取囲むように配置される複数の覗き窓とを有しており、
前記開度表示機構が、
前記弁棒と前記覗き窓との間に配置され、従動側内歯車を有し、前記弁棒の周りを回転し、かつ、前記覗き窓の外から視認できる情報が表示されている開度表示部材と、
前記ハンドルの原動側内歯車からトルクを受けて前記開度表示部材の従動側内歯車へトルクを与えることにより前記ハンドルよりも回転速度が低くなるよう前記開度表示部材を駆動する駆動歯車部とを有していることを特徴とする、開度表示機能つき開閉弁。
【請求項２】
前記開度表示部材の従動側内歯車の歯数が前記ハンドルの原動側内歯車の歯数より少なく、
前記駆動歯車部が前記原動側内歯車および前記従動側内歯車と噛合う外歯車を有することを特徴とする、請求項１に記載の開度表示機能つき開閉弁。
【請求項３】
前記駆動歯車部が、
前記ハンドルの原動側内歯車に噛合う外筒噛合部と、
前記外筒噛合部と同軸上に設けられ、前記外筒噛合部に同調して動き、かつ、前記開度表示部材の従動側内歯車に噛合う表示部材噛合部とを有しており、
前記表示部材噛合部のうち前記従動側内歯車に噛合う部分の歯数が、前記外筒噛合部のうち前記原動側内歯車に噛合う部分の歯数より少ないことを特徴とする、請求項１に記載の開度表示機能つき開閉弁。
【請求項４】
前記ハンドルが、
前記弁棒に取付けられている固定部と、
前記固定部および前記弁棒が貫通する接続筒部とをさらに有しており、
前記固定部が前記弁棒の回転軸に沿って延びる固定側凹凸部を有しており、
前記接続筒部が、前記固定側凹凸部に噛合う接続側凹凸部を有することを特徴とする、請求項１に記載の開度表示機能つき開閉弁。
【請求項５】
前記開度表示機構が、前記開度表示部材を回転自在に保持し、かつ、前記駆動歯車部を保持する、保持部材をさらに有することを特徴とする、請求項１に記載の開度表示機能つき開閉弁。
【請求項６】
前記保持部材が、
前記開度表示部材に接触することにより前記開度表示部材を回転自在に保持する接触部と、
前記駆動歯車部を保持する歯車保持部とを有することを特徴とする、請求項５に記載の開度表示機能つき開閉弁。
【発明の詳細な説明】
【技術分野】
【０００１】
本発明は、開度表示機能つき開閉弁に関し、特に、側面から開閉状態を視認しようとするとき、様々な方向からそれが可能な開度表示機能つき開閉弁に関する。
【背景技術】
【０００２】
特許文献１は、開度表示機能つき開閉弁を開示する。この開度表示機能つき開閉弁において、弁棒はカップ状ハンドルに連結されている。そのカップ状ハンドルの少なくともハンドル隅肉部には覗き窓が設けられる。カップ状ハンドルの内側空間で表示筒がカップ状ハンドルと同軸上に挿入される。表示筒は軸心回りの回転を阻止した状態で弁箱に取り付けられる。その表示筒の軸心方向の外端部分に傾斜面が設けられている。その傾斜面には表示具が設けられている。表示具は閉止部材の開閉状態を表示する。
【０００３】
特許文献１に開示されている開度表示機能つき開閉弁によれば、開閉状態を、真上（この場合、弁棒の軸方向）からも側面（この場合、弁棒の軸に直交する方向）からも容易に視認できる。
【先行技術文献】
【特許文献】
【０００４】
【特許文献１】特開平７−２８０１３４号公報
【発明の概要】
【発明が解決しようとする課題】
【０００５】
しかしながら、特許文献１に開示された開度表示機能つき開閉弁には、側面から開閉状態を視認しようとするとき、ある限られた方向からでないと開閉状態を視認できないという問題点があった。
【０００６】
本発明は、このような問題を解消するためになされたものであり、その目的とするところは、側面から開閉状態を視認しようとするとき、様々な方向からそれが可能な開度表示機能つき開閉弁を提供することにある。
【課題を解決するための手段】
【０００７】
図面を参照して本発明の開放器具を説明する。なお、この欄で図中の符号を使用したのは、発明の内容の理解を助けるためであって、内容を図示した範囲に限定する意図ではない。
【０００８】
上記課題を解決するために、本発明のある局面に従うと、開度表示機能つき開閉弁２０，９０，９２，９４は、弁棒２８を回転させるためのハンドル１００，３００，４００，５００と、開度表示機構１０２，３０２，４０２，５０２とを備える。開度表示機構１０２，３０２，４０２，５０２は、ハンドル１００，３００，４００，５００内部に収容される。ハンドル１００，３００，４００，５００が、原動側内歯車１１２ｂ，３１２ｂ，４１２ｂと、複数の覗き窓１３０，３３０，４３０とを有する。複数の覗き窓１３０，３３０，４３０は弁棒２８を取囲むように配置される。開度表示機構１０２，３０２，４０２，５０２が、開度表示部材１２０，３２０，４２０，５２０と、駆動歯車部１２２，３２２，４２２，５２２とを有している。開度表示部材１２０，３２０，４２０，５２０は、弁棒２８と覗き窓１３０，３３０，４３０との間に配置される。開度表示部材１２０，３２０，４２０，５２０は、従動側内歯車１２０ｃ，３２０ｃ，４２０ｃ，５２０ｃを有する。開度表示部材１２０，３２０，４２０，５２０は弁棒２８の周りを回転する。開度表示部材１２０，３２０，４２０，５２０には、覗き窓１３０，３３０，４３０の外から視認できる情報が表示されている。駆動歯車部１２２，３２２，４２２，５２２は、ハンドル１００，３００，４００，５００の原動側内歯車１１２ｂ，３１２ｂ，４１２ｂからトルクを受けて開度表示部材１２０，３２０，４２０，５２０の従動側内歯車１２０ｃ，３２０ｃ，４２０ｃ，５２０ｃへトルクを与えることによりハンドル１００，３００，４００，５００よりも回転速度が低くなるよう開度表示部材１２０，３２０，４２０，５２０を駆動する。
【０００９】
駆動歯車部１２２，３２２，４２２，５２２が、ハンドル１００，３００，４００，５００の原動側内歯車１１２ｂ，３１２ｂ，４１２ｂからトルクを受けて開度表示部材１２０，３２０，４２０，５２０の従動側内歯車１２０ｃ，３２０ｃ，４２０ｃ，５２０ｃへトルクを与える。内歯車からトルクを受けて別の内歯車へトルクを与えることにより、開度表示部材１２０，３２０，４２０，５２０の回転速度とハンドル１００，３００，４００，５００の回転速度との差を抑えることができる。その差を抑えることができるので、ハンドル１００，３００，４００，５００を回転させたとき、複数の覗き窓１３０，３３０，４３０それぞれから視認できる情報は、ハンドル１００，３００，４００，５００の回転に応じて少しずつ変化する。複数の覗き窓１３０，３３０，４３０それぞれから視認できる情報が少しずつ変化するので、ハンドル１００，３００，４００，５００に複数の覗き窓１３０，３３０，４３０を設け、それらの各々から情報を視認可能とすることができる。複数の覗き窓１３０，３３０，４３０の各々から情報を視認可能なので、側面から開閉状態を視認しようとするとき、様々な方向からそれを可能とすることができる。
【００１０】
また、上述した開度表示部材の従動側内歯車１２０ｃ，３２０ｃの歯数がハンドルの原動側内歯車１１２ｂ，３１２ｂの歯数より少なく、かつ、駆動歯車部が外歯車１２２，３２２を有することが望ましい。この場合、外歯車１２２，３２２は、原動側内歯車１１２ｂ，３１２ｂおよび従動側内歯車１２０ｃ，３２０ｃと噛合う。
【００１１】
従動側内歯車１２０ｃ，３２０ｃの歯数が原動側内歯車１１２ｂ，３１２ｂの歯数より少なく、かつ、１つの外歯車１２２，３２２が原動側内歯車１１２ｂ，３１２ｂおよび従動側内歯車１２０ｃ，３２０ｃという２種類の歯車と噛合うとき、従動側内歯車１２０ｃ，３２０ｃの歯数と原動側内歯車１１２ｂ，３１２ｂの歯数との差はかなり少なくなる。従動側内歯車１２０ｃ，３２０ｃの歯数と原動側内歯車１１２ｂ，３１２ｂの歯数との差がかなり少ないので、そうでない場合に比べ、開度表示部材１２０，３２０の回転速度とハンドル１００，３００の回転速度との差をより少なくすることができる。これにより、覗き窓１３０，３３０を多く設けても、それらの各々から情報を視認可能とすることができる。その結果、より様々な方向から開閉状態を視認できる。
【００１２】
また、上述した駆動歯車部４２２が、外筒噛合部４５０と、表示部材噛合部４５２とを有していることが望ましい。外筒噛合部４５０はハンドル４００の原動側内歯車４１２ｂに噛合う。表示部材噛合部４５２は、外筒噛合部４５０と同軸上に設けられる。表示部材噛合部４５２は、外筒噛合部４５０に同調して動く。表示部材噛合部４５２は、開度表示部材４２０の従動側内歯車４２０ｃに噛合う。この場合、表示部材噛合部４５２のうち従動側内歯車４２０ｃに噛合う部分の歯数が、外筒噛合部４５０のうち原動側内歯車４１２ｂに噛合う部分の歯数より少ない。
【００１３】
また、上述したハンドル４００が、固定部４１６と、接続筒部４１０とを有していることが望ましい。固定部４１６は、弁棒２８に取付けられている。固定部４１６および弁棒２８が接続筒部４１０を貫通する。固定部４１６は、固定側凹凸部４１６ａを有している。固定側凹凸部４１６ａは、弁棒２８の回転軸に沿って延びる。接続筒部４１０は、接続側凹凸部４１０ａを有している。接続側凹凸部４１０ａは、固定側凹凸部４１６ａに噛合う。
【００１４】
固定部４１６および弁棒２８が接続筒部４１０を貫通し、かつ、接続側凹凸部４１０ａが固定側凹凸部４１６ａに噛合うと、ハンドル４００を回したときは弁棒２８も回る上に、ハンドル４００を弁棒２８へ着脱できるようになる。しかも、接続側凹凸部４１０ａが固定側凹凸部４１６ａに噛合うので、覗き窓の向きを調整することが可能となる。
【００１５】
また、上述した開度表示機構１０２，３０２，４０２，５０２が、保持部材１２４，３２４，４２４，５２４をさらに有することが望ましい。保持部材１２４，３２４，４２４，５２４は、開度表示部材１２０，３２０，４２０，５２０を回転自在に保持し、かつ、駆動歯車部１２２，３２２，４２２，５２２を保持する。
【００１６】
もしくは、上述した保持部材１２４，３２４が、接触部１４０，３４０と、歯車保持部１４２，３４２とを有することが望ましい。接触部１４０，３４０は、開度表示部材１２０，３２０に接触することにより開度表示部材１２０，３２０を回転自在に保持する。歯車保持部１４２，３４２は、駆動歯車部１２２，３２２を保持する。
【発明の効果】
【００１７】
以上のように、本発明にかかる開度表示機能つき開閉弁によれば、広い範囲において開閉状態を視認できる。
【図面の簡単な説明】
【００１８】
【図１】本発明の第１実施形態にかかる開度表示機能つき開閉弁の縦断面図である。
【図２】本発明の第１実施形態にかかる開度表示機能つき開閉弁の平面図である。
【図３】図１のＡ−Ａ断面図である。
【図４】図１のＢ−Ｂ断面図である。
【図５】図２のＣ−Ｃ断面図である。
【図６】本発明の第２実施形態にかかる開度表示機能つき開閉弁の縦断面図である。
【図７】本発明の第２実施形態にかかる開度表示機能つき開閉弁の平面図である。
【図８】図７のＡ−Ａ断面図である。
【図９】図８のＢ−Ｂ断面図である。
【図１０】本発明の第３実施形態にかかる開度表示機能つき開閉弁の縦断面図である。
【図１１】本発明の第３実施形態にかかるハンドルナットと押上バネとが取り除かれた状態の開度表示機能つき開閉弁の平面図である。
【図１２】図１０の拡大図である。
【図１３】本発明の第４実施形態にかかる開度表示機能つき開閉弁の縦断面図である。
【発明を実施するための形態】
【００１９】
以下、図面を参照しつつ、本発明の実施の形態について説明する。以下の説明では、同一の部品には同一の符号を付してある。それらの名称および機能も同一である。したがって、それらについての詳細な説明は繰返さない。
【００２０】
<第１実施形態>
以下、本発明の第１実施形態を図面に基づき説明する。
図１ないし図５は、本発明の第１実施形態を示している。図１ないし図５によって本実施形態にかかる開閉弁である開度表示機能つき開閉弁２０の全体の構造を説明する。図１は開度表示機能つき開閉弁２０の縦断面図である。図２は開度表示機能つき開閉弁２０の平面図である。図３は図１のＡ−Ａ断面図である。図４は図１のＢ−Ｂ断面図である。図５は図２のＣ−Ｃ断面図である。
【００２１】
図示しないガスボンベには、約１５ＭＰａの窒素ガスが充填可能とされている。そのガスボンベの首部に本実施形態にかかる開度表示機能つき開閉弁２０が取付けられる（本発明にかかる開度表示機能つき開閉弁が、窒素ガス充填するためのガスボンベに代えて、アルゴンガスその他のガスを充填するためのガスボンベに取付けられて良いことは言うまでもない）。
【００２２】
図１に示すように、開度表示機能つき開閉弁２０は弁箱２２を備える。弁箱２２に形成された脚ネジ部２２０がそのガスボンベの首部にネジ止め固定される。その弁箱２２の途中部分から出口ノズル２２２が横向きに突出している。脚ネジ部２２０の下面に開口したガス入口２２４が、入口路２２６と閉止弁座２２８の筒孔内と閉止弁室２３０と出口路２３２とを順に経由して、出口ノズル２２２の端面に開口したガス出口２３４へ通じている。入口路２２６の途中部から分岐された吹出路２３８に安全弁３８が設けられる。閉止弁室２３０に閉止部材２４が収容されている。閉止部材２４の外周部にはおねじが設けられている。閉止弁室２３０の内壁にはめねじが設けられている。これらおねじとめねじとが嵌り合っているので、閉止部材２４は、閉止弁室２３０の中を自由に昇降できる。そのため、閉止部材２４に嵌め込まれている合成樹脂製の弁体２４０は、閉止弁座２２８に接したり閉止弁座２２８から離れたりできる。
【００２３】
弁箱２２のうち閉止弁室２３０の上側の部分にネジ孔２３６が形成される。そのネジ孔２３６に弁蓋２６がネジ止めされる。弁蓋２６が有する孔を弁棒２８が貫通する。弁蓋２６の孔の内周面と弁棒２８の外周面との間は、２つのＯリング３０によってシールされる。これにより、弁棒２８は、弁蓋２６に対して時計回りにも反時計回りにも回転できる。弁棒２８の下部が閉止部材２４に連結される。弁棒２８の上部にカップ型ハンドル１００が設けられる。作業者は、外筒１１２を指でつかんでカップ型ハンドル１００にトルクを与える。これによりカップ型ハンドル１００が回ると弁棒２８も回る。弁棒２８が回ると閉止部材２４も回る。
【００２４】
カップ型ハンドル１００は、内筒１１０と外筒１１２とこれらを連結する頂壁１１４と弁棒２８に固定される固定部１１６とを有する。内筒１１０と外筒１１２と頂壁１１４と固定部１１６とは、不透明な合成樹脂によって一体成形されている。カップ型ハンドル１００の内筒１１０内に、ハンドルナット３４と押上バネ３６とが設けられる。その押上バネ３６の弾性力によって、弁棒２８は押上げられる。カップ型ハンドル１００のうち外筒１１２から頂壁１１４にかけての箇所には、図２に示すように、５箇所の覗き窓１３０が設けられる。また、図３および図５に示すように、外筒１１２の内周面には原動側内歯車１１２ｂが形成されている。
【００２５】
図１に示すように、カップ型ハンドル１００内部には開度表示機構１０２が収容される。開度表示機構１０２は、開度表示部材１２０と、外歯車１２２（本実施形態における駆動歯車部である）と、保持部材１２４とを有している。
【００２６】
開度表示部材１２０は、内筒１１０と外筒１１２との隙間つまり弁棒２８と覗き窓１３０との間に配置される。後述する説明から明らかな通り、開度表示部材１２０は弁棒２８の周りを回転する。図１に示す通り、開度表示部材１２０は、筒部１２０ａと、斜面部１２０ｂとを有する。筒部１２０ａは弁棒２８を取囲むよう配置される。斜面部１２０ｂは外歯車１２２に覆い被さるように筒部１２０ａの一端に設けられる。図示していないが、筒部１２０ａと斜面部１２０ｂとは、赤と青とに塗分けられている。これらの色は覗き窓１３０の外から視認できる。覗き窓１３０の外から視認できるため、これらの色が、閉止弁座２２８に対する弁体２４０の開き具合（開度）を示す情報となっている。また、図４および図５に示す通り、開度表示部材１２０は、従動側内歯車１２０ｃをさらに有する。従動側内歯車１２０ｃは筒部１２０ａの内周に設けられる。従動側内歯車１２０ｃの歯数はカップ型ハンドル１００の原動側内歯車１１２ｂの歯数よりも少ない。本実施形態の場合、開度表示部材１２０の従動側内歯車１２０ｃの歯数は「４５」である。カップ型ハンドル１００の原動側内歯車１１２ｂの歯数は「４８」である。
【００２７】
図３に示すとおり、外歯車１２２は外筒１１２の原動側内歯車１１２ｂに噛合う。図４に示すとおり、外歯車１２２は開度表示部材１２０の従動側内歯車１２０ｃとも噛合う。これにより、外歯車１２２は原動側内歯車１１２ｂからトルクを受けて従動側内歯車１２０ｃへトルクを与えることとなる。トルクを与えることにより、外歯車１２２はカップ型ハンドル１００よりも回転速度が低くなるよう開度表示部材１２０を駆動することとなる。その結果、上述したとおり、開度表示部材１２０は弁棒２８の周りを回転する。開度表示部材１２０の回転速度がカップ型ハンドル１００よりも低いのは、開度表示部材１２０の従動側内歯車１２０ｃの歯数がカップ型ハンドル１００の原動側内歯車１１２ｂの歯数よりも少ないためである。ちなみに、外歯車１２２の歯数は「８」である。
【００２８】
保持部材１２４（図１および図５参照）は弁蓋２６の六角形頭部２６０に動かないよう強く嵌め込まれる。保持部材１２４は、接触部１４０（図３、図４、および、図５参照）と歯車保持部１４２（図１参照）とを有する。図４、および、図５に示すとおり、接触部１４０は開度表示部材１２０の従動側内歯車１２０ｃに接触することにより開度表示部材１２０を回転自在に保持する。歯車保持部１４２には外歯車１２２の軸が回転自在に嵌まる。
【００２９】
次に、本実施形態にかかる開度表示機能つき開閉弁２０の動作について説明する。図２で言えば時計回りの方向へカップ型ハンドル１００を回転操作すると弁棒２８が回転する。弁棒２８が回転すると閉止部材２４も回転する。このとき、閉止部材２４は下降する。閉止部材２４が十分に下降すると、閉止部材２４の下部に設けた弁体２４０が閉止弁座２２８に接し、弁体２４０が閉止弁座２２８を塞ぐ。本実施形態の場合、この閉弁状態では、カップ型ハンドル１００の覗き窓１３０から開度表示部材１２０表面の青く塗られた部分を覗くことが可能であることとする。
【００３０】
次に、図２で言えば反時計回りの方向へカップ型ハンドル１００を回転操作すると弁棒２８が回転する。弁棒２８が回転すると閉止部材２４も回転する。このとき、閉止部材２４は上昇する。閉止部材２４の弁体２４０は閉止弁座２２８から離れていく。
【００３１】
このとき、カップ型ハンドル１００が回転するので、外筒１１２の内周面の原動側内歯車１１２ｂも回転する。原動側内歯車１１２ｂが回転するので、これに噛合う外歯車１２２も回転する。外歯車１２２が回転するので、これに噛合う開度表示部材１２０の従動側内歯車１２０ｃも回転する。従動側内歯車１２０ｃが回転するので、開度表示部材１２０が弁棒２８の周りを回る。回転方向はカップ型ハンドル１００すなわち反時計回りである。ただし、上述した通り、開度表示部材１２０の回転速度はカップ型ハンドル１００よりも低い。その結果、開度表示部材１２０のうち覗き窓１３０から視認できる領域が順次変わる。本実施形態の場合、上述した弁体２４０が閉止弁座２２８から十分離れた状態（開弁状態）では、カップ型ハンドル１００の覗き窓１３０から開度表示部材１２０表面の赤く塗られた部分を覗くことが可能であることとする。
【００３２】
以上のようにして、本実施形態にかかる開度表示機能つき開閉弁２０は、側面すなわち弁棒２８の回転軸に直交する方向から開閉状態を視認しようとするとき、様々な方向からそれが可能である。それが可能なのは、次の理由による。まず、等間隔に配置された５箇所の覗き窓１３０が設けられていることである。次に、開度表示部材１２０の回転速度がカップ型ハンドル１００の回転速度よりわずかに低いことである。言い換えると、カップ型ハンドル１００の回転時、カップ型ハンドル１００に対する開度表示部材１２０の相対速度はごくわずかである。このことにより、５箇所もの覗き窓１３０を設けてもそれらのそれぞれから開度を示す情報を適切に視認できる。それが可能となっているのは、外歯車１２２が外筒１１２の原動側内歯車１１２ｂおよび開度表示部材１２０の従動側内歯車１２０ｃと噛合っているためである。
【００３３】
開度表示部材１２０が筒部１２０ａと斜面部１２０ｂとを有することも、側面から開度を容易に知ることができる理由の１つである。開度表示部材１２０が筒部１２０ａと斜面部１２０ｂとを有するので、開度表示部材１２０が斜面部１２０ｂを有しており筒部１２０ａを有していない場合に比べ、開度表示機能つき開閉弁２０を見上げるような位置から開度を知ることが容易となっている。
【００３４】
<第２実施形態>
以下、本発明の第２実施形態を図面に基づき説明する。
図６ないし図９は本実施形態にかかる開度表示機能つき開閉弁９０を示す。図６は本実施形態にかかる開度表示機能つき開閉弁９０の縦断面図である。図７は、本実施形態にかかる開度表示機能つき開閉弁９０の平面図である。図８は、図７のＡ−Ａ断面図である。図９は、図８のＢ−Ｂ断面図である。
【００３５】
本実施形態にかかる開度表示機能つき開閉弁９０は、第１実施形態にかかるカップ型ハンドル１００と開度表示機構１０２とに代えて、カップ型ハンドル３００と開度表示機構３０２とを設けたものである。
【００３６】
図６および図８に示すとおり、カップ型ハンドル３００は、内筒３１０と外筒３１２と頂壁３１４と固定部３１６とを有する。図８および図９に示すとおり、外筒３１２の内周面には、原動側内歯車３１２ｂが嵌め込まれている。図７に示すとおり、カップ型ハンドル３００のうち外筒３１２から頂壁３１４にかけての箇所には、３箇所の覗き窓３３０が設けられる。内筒３１０と外筒３１２と頂壁３１４と固定部３１６とに関するその他の機能は、第１実施形態にかかる内筒１１０と外筒１１２と頂壁１１４と固定部１１６との機能と同様である。
【００３７】
図６に示すように、カップ型ハンドル３００内部には開度表示機構３０２が収容される。開度表示機構３０２は、開度表示部材３２０と、外歯車３２２（本実施形態における駆動歯車部である）と、保持部材３２４とを有している。開度表示部材３２０は、筒部３２０ａと、斜面部３２０ｂと、従動側内歯車３２０ｃと、分解防止フック３２０ｄとを有する。筒部３２０ａと斜面部３２０ｂとにおいて、「開」という文字が表示されている領域と「閉」という文字が表示されている領域とが交互に設けられている。これらの文字が開度を示す情報となっている。これらの領域は覗き窓３３０の外から視認できる。ちなみに、本実施形態の場合、図７に示すように、「開」という文字がある箇所同士がなす角度は２π／３ラジアン（１２０°）である。図示していないが、「閉」という文字がある箇所同士がなす角度も同様である。「開」という文字がある箇所とその隣の「閉」という文字がある箇所とがなす角度はπ／３ラジアン（６０°）である。保持部材３２４は、接触部３４０（図６、図８、図９参照）と歯車保持部３４２（図６参照）と離脱防止フック３４４（図８、図９参照）とを有する。歯車保持部３４２は外歯車３２２の軸となる。離脱防止フック３４４は、図８に示すように、開度表示部材３２０の分解防止フック３２０ｄにひっかかる。これにより開度表示部材３２０が保持部材３２４から外れにくくなる。開度表示部材３２０と外歯車３２２と保持部材３２４とに関するその他の機能は、第１実施形態にかかる開度表示部材１２０と外歯車１２２と保持部材１２４との機能と同様である。
【００３８】
本実施形態にかかる開度表示機能つき開閉弁９０の動作は第１実施形態にかかる開度表示機能つき開閉弁２０の動作と同様なので、ここではその詳細は繰返さない。
【００３９】
以上のようにして、本実施形態にかかる開度表示機能つき開閉弁９０は、第１実施形態にかかる開度表示機能つき開閉弁２０と同様の理由により、側面から開閉状態を視認しようとするとき、様々な方向からそれが可能である。また、本実施形態にかかる開度表示機能つき開閉弁９０は、開度表示部材３２０の分解防止フック３２０ｄと保持部材３２４の離脱防止フック３４４とが互いににひっかかっている。これにより開度表示部材３２０が保持部材３２４から外れにくくなっている。
【００４０】
<第３実施形態>
以下、本発明の第３実施形態を図面に基づき説明する。
図１０は本実施形態にかかる開度表示機能つき開閉弁９２の縦断面図である。図１１は本実施形態にかかる開度表示機能つき開閉弁９２の平面図である。図１２は図１０の拡大図である。ただし、図１１にはハンドルナット３４と押上バネ３６とが取除かれたものが示されている。
【００４１】
本実施形態にかかる開度表示機能つき開閉弁９２は、第１実施形態にかかるカップ型ハンドル１００と開度表示機構１０２とに代えて、カップ型ハンドル４００と開度表示機構４０２とを設けたものである。
【００４２】
カップ型ハンドル４００は、内筒４１０（内筒４１０が本実施例における接続筒部である）と外筒４１２と頂壁４１４と固定部４１６とを有する。図１０および図１１に示すとおり、カップ型ハンドル４００のうち外筒４１２から頂壁４１４にかけて、覗き窓４３０が３箇所設けられる。図１０および図１２に示すとおり、外筒４１２の内周面には、原動側内歯車４１２ｂが形成されている。さらに、図１０に示すとおり、内筒４１０および弁棒２８が固定部４１６を貫通するようになっている。図１１に示すとおり、内筒４１０には接続側セレーション４１０ａ（接続側セレーション４１０ａが本実施例における接続側凹凸部である）が設けられている。固定部４１６には、弁棒２８の回転軸に沿って延びる固定側セレーション４１６ａ（固定側セレーション４１６ａが本実施例における固定側凹凸部である）が設けられている。これにより、カップ型ハンドル４００を回す際には接続側セレーション４１０ａと固定側セレーション４１６ａとが噛合う。それらが噛合うので内筒４１０と固定部４１６とが一体となって回転する。カップ型ハンドル４００を引抜く場合には接続側セレーション４１０ａは固定側セレーション４１６ａに沿って動く。接続側セレーション４１０ａが固定側セレーション４１６ａに沿って動くので、カップ型ハンドル４００を弁棒２８から容易に取外すことができる。カップ型ハンドル４００を弁棒２８に嵌める際にも接続側セレーション４１０ａは固定側セレーション４１６ａに沿って動く。接続側セレーション４１０ａが固定側セレーション４１６ａに沿って動くので、覗き窓４３０の向きをかなり自由に設定できる。内筒４１０と外筒４１２と頂壁４１４と固定部４１６とに関するその他の機能は、第１実施形態にかかる内筒１１０と外筒１１２と頂壁１１４と固定部１１６との機能と同様である。
【００４３】
図１０に示すように、カップ型ハンドル４００内部には開度表示機構４０２が収容される。開度表示機構４０２は、開度表示部材４２０と、駆動歯車部４２２と、保持部材４２４とを有している。開度表示部材４２０の機能と保持部材４２４の機能とは、第１実施形態にかかる開度表示部材１２０、および、保持部材１２４と同様である。したがって、その詳細な説明は繰返さない。
【００４４】
本実施形態にかかる駆動歯車部４２２は、カップ型ハンドル４００の原動側内歯車４１２ｂからトルクを受けて開度表示部材４２０の従動側内歯車４２０ｃへトルクを与える。これにより、駆動歯車部４２２は、カップ型ハンドル４００よりも回転速度が低くなるよう開度表示部材４２０を駆動することとなる。図１２に示すように、駆動歯車部４２２は、外筒噛合部４５０と、表示部材噛合部４５２と、回転軸部４５４とを有する。外筒噛合部４５０の歯が、外筒４１２の原動側内歯車４１２ｂに噛合う。表示部材噛合部４５２の歯が、開度表示部材４２０の従動側内歯車４２０ｃと噛合う。回転軸部４５４は、外筒噛合部４５０と表示部材噛合部４５２との回転軸となる。表示部材噛合部４５２の歯数は、外筒噛合部４５０の歯数より少ない。本実施形態の場合、開度表示部材４２０の従動側内歯車４２０ｃの歯数は「４８」である。カップ型ハンドル４００の原動側内歯車４１２ｂの歯数は「７６」である。表示部材噛合部４５２の歯数は「１２」である。外筒噛合部４５０の歯数「２１」である。
【００４５】
本実施形態にかかる開度表示機能つき開閉弁９２の動作は第１実施形態にかかる開度表示機能つき開閉弁２０の動作および第２実施形態にかかる開度表示機能つき開閉弁９０の動作と同様なので、ここではその詳細は繰返さない。
【００４６】
以上のようにして、本実施形態にかかる開度表示機能つき開閉弁９２は、第１実施形態にかかる開度表示機能つき開閉弁２０および第２実施形態にかかる開度表示機能つき開閉弁９０と同様の理由により、側面から開閉状態を視認しようとするとき、様々な方向からそれが可能である。また、本実施形態にかかる開度表示機能つき開閉弁９２は、カップ型ハンドル４００を弁棒２８へ取付ける際、覗き窓４３０の向きをかなり自由に設定できる。覗き窓４３０の向きをかなり自由に設定できるので、管路において複数の開度表示機能つき開閉弁９２が並んでいる場合、それらの覗き窓４３０が同じ方向を向くよう設定することが容易である。
【００４７】
<第４実施形態>
以下、本発明の第４実施形態を図面に基づき説明する。図１３は本実施形態にかかる開度表示機能つき開閉弁９４の縦断面図である。
【００４８】
本実施形態にかかる開度表示機能つき開閉弁９４は、第１実施形態にかかるカップ型ハンドル１００と開度表示機構１０２とに代えて、カップ型ハンドル５００と開度表示機構５０２とを設けたものである。
【００４９】
カップ型ハンドル５００は、形状が若干異なることを除けば、第３実施形態にかかるカップ型ハンドル４００と同じである。したがって、その詳細な説明は繰返さない。
【００５０】
開度表示機構５０２は、開度表示部材５２０と、駆動歯車部５２２と、保持部材５２４とを有している。駆動歯車部５２２と保持部材５２４とは、形状が若干異なることを除けば、第３実施形態にかかる駆動歯車部４２２および保持部材４２４と同じである。したがって、それらの詳細な説明は繰返さない。
【００５１】
開度表示部材５２０は、斜面部５２０ｂと、従動側内歯車５２０ｃとを有する。斜面部５２０ｂは、弁棒２８を取囲み、かつ、駆動歯車部５２２に覆い被さるように、配置される。図示していないが、斜面部５２０ｂには、開度を示す情報が示されている。従動側内歯車５２０ｃは、駆動歯車部５２２の表示部材噛合部５５２と噛合う。
【００５２】
本実施形態にかかる開度表示機能つき開閉弁９４の動作は第１実施形態にかかる開度表示機能つき開閉弁２０の動作ないし第３実施形態にかかる開度表示機能つき開閉弁９２の動作と同様なので、ここではその詳細は繰返さない。
【００５３】
以上のようにして、本実施形態にかかる開度表示機能つき開閉弁９４は、第１実施形態にかかる開度表示機能つき開閉弁２０ないし第３実施形態にかかる開度表示機能つき開閉弁９２と同様の理由により、側面から開閉状態を視認しようとするとき、様々な方向からそれが可能である。
【００５４】
<変形例>
今回開示された実施形態はすべての点で例示である。本発明の範囲は上述した実施形態に基づいて制限されるものではなく、本発明の趣旨を逸脱しない範囲で種々の設計変更をしてもよいのはもちろんである。
【００５５】
たとえば、弁箱、弁体、弁座、および、弁棒は、上述したものに限定されない。覗き窓の数も上述したものに限定されない。開度を示すための情報も上述した色分と文字とに限定されない。
【符号の説明】
【００５６】
２０，９０，９２，９４…開度表示機能つき開閉弁、
２２…弁箱、
２４…閉止部材、
２６…弁蓋、
２８…弁棒、
３０…Ｏリング、
３４…ハンドルナット、
３６…押上バネ、
３８…安全弁、
１００，３００，４００，５００…カップ型ハンドル、
１０２，３０２，４０２，５０２…開度表示機構、
１１０，３１０，４１０…内筒、
１１２，３１２，４１２…外筒、
１１２ｂ，３１２ｂ，４１２ｂ…原動側内歯車、
１１４，３１４，４１４…頂壁、
１１６，３１６，４１６…固定部、
１２０，３２０，４２０，５２０…開度表示部材、
１２０ａ，３２０ａ…筒部、
１２０ｂ，３２０ｂ，５２０ｂ…斜面部、
１２０ｃ，３２０ｃ，４２０ｃ，５２０ｃ…従動側内歯車、
１２２，３２２…外歯車、
１２４，３２４，４２４，５２４…保持部材、
１３０，３３０，４３０…覗き窓、
１４０，３４０…接触部、
１４２，３４２…歯車保持部、
２２０…脚ネジ部、
２２２…出口ノズル、
２２４…ガス入口、
２２６…入口路、
２２８…閉止弁座、
２３０…閉止弁室、
２３２…出口路、
２３４…ガス出口、
２３６…ネジ孔、
２３８…吹出路、
２４０…弁体、
２６０…六角形頭部、
３２０ｄ…分解防止フック、
３４４…離脱防止フック、
４１０ａ…接続側セレーション、
４１６ａ…固定側セレーション、
４２２，５２２…駆動歯車部、
４５０…外筒噛合部、
４５２，５５２…表示部材噛合部、
４５４…回転軸部、
【図１】
0005815286.tif 000002
【図２】
0005815286.tif 000003
【図３】
0005815286.tif 000004
【図４】
0005815286.tif 000005
【図５】
0005815286.tif 000006
【図６】
0005815286.tif 000007
【図７】
0005815286.tif 000008
【図８】
0005815286.tif 000009
【図９】
0005815286.tif 000010
【図１０】
0005815286.tif 000011
【図１１】
0005815286.tif 000012
【図１２】
0005815286.tif 000013
【図１３】
0005815286.tif 000014